(57)【要約】【課題】各エリアの入退場による施設内での個人の所在場所および行動、扉開閉時の監視カメラによる画像、また外出先での個人の所在場所および行動をリアルタイムにて把握できるリアルタイム行動管理システムを提供する。【解決手段】リアルタイム行動管理システムは、施設の管理エリア内に設置されたタイムレコーダー１による出社／退社の勤怠管理データと、各部屋を入退室する際に扉に設置された入退室管理ユニット３ａ〜３ｄで読み取られ個人認証された入退室データと、扉の開閉時に撮影された監視カメラ４ａ、４ｂのデジタル画像データと、執務用パソコン５ａ〜５ｄから入力された個人の外出・出張・休暇・連絡等の行動予定データと、外出先でのＧＰＳ対応携帯電話2からの出社／退社、訪問先等の行動データがサーバーに集約され、各個人の所在場所や予定が執務用パソコン５ａ〜５ｄのブラウザ画面上でリアルタイムに把握することができる特徴を有する。【選択図】図１
2011159160.tif 000002
【特許請求の範囲】
【請求項１】
会社または施設における各扉に設置されたＩＤカードリーダーを備えた入退室管理ユニットおよび扉開閉監視カメラと、出社／退社を管理するタイムレコーダーと、個人の行動等を入力できる執務用パソコンと、外出先で行動を入力できるGPS対応携帯電話がネットワークにてサーバーに接続されたシステムにおいて、各端末から入力された情報により個人の所在場所・行動等をネットワーク内の執務用パソコンのブラウザ画面上101でリアルタイムにて把握できることを特徴とするリアルタイム行動管理システム。
【請求項２】
請求項１の記載のリアルタイム行動管理システムにおいて、インターネット、VPN、専用回線等を含むネットワークとサーバーを接続して、複数の支店または複数の施設の情報を一元統合管理し、リアルタイムで全社または全施設の個人の所在場所・行動が把握できる手段を備えたことを特徴とするリアルタイム行動管理システム。
【請求項３】
請求項１の記載のリアルタイム行動管理システムにおいて、IDカードによる扉開閉時の監視カメラのデジタル画像の記録のみならず、IDカードによらいない扉の強制開閉における監視カメラのデジタル画像の記録により、画像による不審者の特定手段を備えたことを特徴とするリアルタイム行動管理システム。
【請求項４】
請求項１の記載のリアルタイム行動管理システムにおいて、タイムレコーダーでの勤怠管理に加え、携帯電話のURLまたはメールにより、外出先での出社／退社を管理できる手段を備えたことを特徴とするリアルタイム行動管理システム。
【発明の詳細な説明】
【技術分野】
【０００１】
本発明は会社または施設において、入退室管理ユニット、タイムレコーダー、執務用パソコン、外出先での携帯電話等の各端末から入力された情報に基づき個人の所在場所および行動をリアルタイムにて把握できるリアルタイム行動管理システムに関する。
【背景技術】
【０００２】
従来、入退室管理はIDカードにより許可を受けた者だけの入室／退室の管理が行われ、記録管理された情報はセキュリティ上問題が発生したときに入退室者の絞込み、解析等に利用されることがほとんどであり、監視カメラは常時録画して問題が発生した前後の再生画面より目視で検索する方法が一般的であり、タイムレコーダーは勤怠管理専用で運用され、外出等の行動予定は行動予定表ボードに記入し、外出先での行動は電話連絡する方法が一般的に行われているが、最近ではネットワーク化された環境下でグループウェアを利用して勤怠管理、行動予定管理を行う会社または施設も増えてきている。
【発明の概要】
【発明が解決しようとする課題】
【０００３】
このように従来の技術では入退室管理システム、監視カメラによる監視システム、勤怠管理システム、行動予定管理システムがそれぞれ独立して運用され、またそれぞれのシステムで得られた情報を常時有効に活用しているわけではなかった。
【０００４】
そこで本発明が解決しようとする課題は、入退室管理システム、監視カメラによる監視システム、勤怠管理システム、行動予定管理システムから得た情報を一元管理し、個人の所在場所および行動をリアルタイムにて把握できるシステムを提供することにある。
【課題を解決するための手段】
【０００５】
上記課題を解決するために本発明は、会社または施設における各扉に設置されたＩＤカードリーダーを備えた入退室管理ユニットにて入室／退室の個人情報をサーバーに記録し、扉開閉時の監視カメラのデジタル画像をサーバーに記録し、タイムレコーダーにて出社／退社の個人情報をサーバーに記録し、執務用パソコンから入力された個人の行動情報をサーバーに記録し、外出先での出社／退社／行動をGPS対応携帯電話にてサーバーに記録し、記録された情報により個人の所在場所・行動等をネットワーク内の執務用パソコンのブラウザ画面上101でリアルタイムにて把握できる手段を備えたことを特徴とする。
【０００６】
請求項２では、請求項１に記載のリアルタイム行動管理システムにおいて、インターネット、VPN、専用回線等を含むネットワークとサーバーを接続して、複数の支店または複数の施設の情報を一元統合管理し、リアルタイムで全社または全施設の個人の所在場所・行動が把握できる手段を備えたことを特徴とする。
【０００７】
請求項３では、請求項１に記載のリアルタイム行動管理システムにおいて、IDカードによる扉開閉時の監視カメラのデジタル画像の記録のみならず、IDカードによらいない扉の強制開閉における監視カメラのデジタル画像の記録により、画像による不審者の特定手段を備えたことを特徴とする。
【０００８】
請求項４では、請求項１に記載のリアルタイム行動管理システムにおいて、タイムレコーダーでの勤怠管理に加え、携帯電話のURLまたはメールにより、外出先での出社／退社および行動を管理できる手段を備えたことを特徴とする。
【図面の簡単な説明】
【０００９】
【図１】図１は本発明におけるリアルタイム行動管理システムの全体構成図である。
【図２】図２は本発明におけるリアルタイム行動管理システムの執務用パソコンのブラウザ画面である。
【発明を実施するための形態】
【００１０】
以下、本発明における一実施形態について図に基づいて詳細に説明する。
【００１１】
図１は本発明における一実施形態によるリアルタイム行動管理システムの全体構成図であり、会社または施設の管理エリア内に設置されたタイムレコーダー１と、各部屋を入退室する際に扉に設置されたＩＤカードリーダーを備えた入退室管理ユニット３ａ〜３ｄと、扉の開閉時に撮影する監視カメラ４ａ、４ｂと、執務用パソコン５ａ〜５ｄと、外出先でのＧＰＳ対応携帯電話2と、それらの装置からデータを情報管理する手段としてのサーバー６と、管理エリア内の各装置とサーバー６とを接続するローカルエリアネットワーク７と、外出先の携帯電話とサーバー６を接続するインターネット回線８とで構成している。
【００１２】
図２は本発明における執務用パソコン５にリアルタイムで表示更新される行動管理情報のブラウザ画面101の一例である。
【００１３】
従業員など個人は先ず会社または施設の管理フロア内のタイムレコーダー１でＩＤカードを読み取らせることにより、ネットワークで接続されたサーバー６のデータベースに出社／退社が記録される。
【００１４】
次に個人が執務する部屋Aまたは部屋Bの外側の扉の横に設置されている入退室管理ユニット３のカードリーダーでＩＤカードを読み取らせることにより扉の電気錠が解除され、ネットワークで接続されたサーバー６のデータベースに入室が記録される。個人は扉を開けて入室し扉を閉めるが、その間の情景を監視カメラ４が捉えネットワークで接続されたサーバー６の画像ファイルにデジタル画像データが記録される。
【００１５】
ＩＤカードによらない扉の強制開閉による不正入室の際も扉開閉の間の情景を監視カメラ４が捉えネットワークで接続されたサーバー６の画像ファイルにデジタル画像データが記録されるため、不審者の特定が容易に行える。
【００１６】
個人が執務用のパソコンのブラウザ画面101から外出・出張・休暇等の行動予定データを入力することにより、ネットワークで接続されたサーバー６のデータベースに、執務用パソコンから入力された行動予定データが記録される。
【００１７】
個人が部屋から出るときは部屋の内側の扉の横に設置されている入退室管理ユニット３のカードリーダーでＩＤカードを読み取らせることにより扉の電気錠が解除され、ネットワークで接続されたサーバー６のデータベースに退室が記録される。個人は扉を開けて退室し扉を閉めるが、その間の情景を監視カメラ４が捉えネットワークで接続されたサーバー６の画像ファイルにデジタル画像データが記録される。
【００１８】
個人が外出先でGPS対応形態電話でURLまたはメールにて出社／退社および訪問の行動予定を入力送信することにより、インターネットが接続されたサーバー６のデータベースに外出先からの情報が記録される。
【００１９】
個人は執務用のパソコンのブラウザ画面101にて上記の出退社、入退室、行動予定情報が自動更新され、リアルタイムにて個人の所在場所、行動を把握することができる。
【符号の説明】
【００２０】
１    タイムレコーダー
２    GPS機能対応携帯電話
３    IDカードカードリーダー付入退室管理ユニット
４    監視カメラ（ネットワークカメラ）
５    執務用パソコン
６    サーバー
７    構内ローカルエリアネットワーク網
８    インターネット網
１０１    リアルタイム行動予定表ブラウザ画面
【図１】
2011159160.tif 000003
【図２】
2011159160.tif 000004